(57)【要約】【課題】床版に影響を与えることなくジャッキの反力が取れるようにすると共に、桁と床版の合成度を下げることによって床版の撤去を容易にする。【解決手段】主桁２の上の床版１の対向する位置にホールソーで円形切断線２０を桁２に達するまで形成する。コンクリート床版１に、主桁２に沿って切断線Ｃ１〜Ｃ４を形成して適宜の大きさの撤去領域を画定する。対向して設けた円形切断線２０の中間部の床版１に穴２２を形成し、ネジ付き鋼棒４２を挿入して床版１の底面に固定する。円形切断線２０の位置にジャッキ３をセットし、ジャッキ３の間に剥離架台４を載せて固定し、剥離架台にネジ付き鋼棒４２を固定する。ジャッキを作動させて床版を持ち上げて桁から剥離して撤去する。ジャッキ３が主桁２の上に設置してあるので、十分大きな反力を得ることができ、床版の撤去を確実にかつ迅速におこなうことができる。【選択図】図２
2010024742.tif 000002
【特許請求の範囲】
【請求項１】
主桁の上部においてジャッキを設置する領域を床版から縁切りし、平行する主桁上の床版に桁に達する切断線を形成すると共に主桁にほぼ直角に切断線を形成して床版の切断撤去領域を画定し、ジャッキと架台からなる撤去装置のジャッキを床版から縁切りした領域に設置し、ジャッキを作動させて切断線で画定した領域の床版を持ち上げて床版と桁との結合を解除する橋梁床版の撤去方法。
【請求項２】
請求項１において、主桁の上部において、床版にホールソーによって主桁の上面に達する円形切断線を形成することによって、ジャッキを設置する領域を床版から縁切りする橋梁床版の撤去方法。
【請求項３】
請求項２において、ホールソーで形成した円形切断線の内部の円柱コアを撤去して円形穴を形成し、この穴内にジャッキを設置する橋梁床版の撤去方法。
【発明の詳細な説明】
【技術分野】
【０００１】
本発明は、老朽化等により修繕が必要となった高架道路や橋梁等のコンクリート製床版及びジョイントを撤去する方法に関する。
【背景技術】
【０００２】
交通荷重により損傷したり、老朽化した橋梁のコンクリート床版及びジョイントを補修・交換するため補修部分を解体撤去する必要がある。また、橋梁の設計基準の変更で設計荷重が引き上げられ、古い基準の床版を撤去して新基準に合わせて打ち替えする必要が生じてきた。
ブレーカ等で床版を破砕撤去するのは騒音・振動が大きく環境問題となったり、また、破砕片が落下しないように防護工事が必要なので効率が悪く、施工期間が長引きコストがかかった。
カッターで床版を切断し、クレーン等で引き上げる方法の場合、床版と桁の連結状態が強固なため、桁上の床版を残して床版を撤去し、残った桁上の床版を破砕して撤去するため安全柵等の防護工事が必要となり効率が悪かった。
【０００３】
そこで、撤去すべき部分の床版を適宜の大きさに切断し、ジャッキと持ち上げ用梁からなる撤去装置を利用し、床版にカッターで切断線を形成して画定した撤去領域を上方に持ち上げて床版と桁との結合を破壊解除する方法が特許文献１（特公平７−２６３６９号公報）、及び、特許文献２（特公平７−２６３７１号公報）で提案されている。
これらの工法は、図４に示すように、コンクリート床版にカッターで切断線を形成してブロックに分割し、ブロックを跨ぐ剥離架台を設置し、この剥離架台に設けたセンターホールジャッキでブロックを引き上げて、桁から床版を引き剥がしたり、図５に示すように、剥離架台をブロックを跨いで架け渡し、剥離架台とブロックを鋼棒で連結し、剥離架台の両端に配置したジャッキで剥離架台を持ち上げ、ブロックを桁から引き剥がすものである。
また、撤去に使用する撤去梁などを小型分割化した方法として特許文献３（特開２００１−２２６９１４号公報）が提案されている。
【０００４】
【特許文献１】特公平７−２６３６９号公報
【特許文献２】特公平７−２６３７１号公報
【特許文献３】特開２００１−２２６９１４号公報
【発明の開示】
【発明が解決しようとする課題】
【０００５】
コンクリート製の床版は、ジベル等で桁に一体化されており、適宜の大きさに切断分割しても、床版を引き剥がすには大きな力を必要とする。大きな力が床版を持ち上げるジャッキに反力として作用すると、経年変化で劣化した床版が変形したり、床版が抜けるという事故が起きることがある。
本発明は、劣化した床版であっても床版が抜けたりすることがなく、確実にジャッキの反力が取れるようにすると共に、桁と床版の合成度を弱めることによって床版の撤去が容易におこなえるようにするものである。
【課題を解決するための手段】
【０００６】
主桁の上部においてジャッキを設置する領域を床版から縁切りし、平行する主桁上の床版に桁に達する切断線を形成すると共に主桁にほぼ直角に切断線を形成して床版の切断撤去領域を画定し、ジャッキと架台からなる撤去装置のジャッキを床版から縁切りした領域に設置し、ジャッキを作動させて切断線で画定した領域の床版を持ち上げて床版と桁との結合を解除することによって床版を簡易に撤去できるようにしたものである。
【発明の効果】
【０００７】
ジャッキが主桁の直上に設置してあり、床版を剥離する際のジャッキの反力が主桁に負担されるので、床版が抜け落ちるというようなことは排除することができると共に、主桁の上において床版に切断線を形成して床版と主桁の部分が他の床版部分と縁が切ってあることから、床版を桁から確実に剥離することができ、床版を確実かつ容易に撤去することができる。
【発明を実施するための最良の形態】
【０００８】
実施例１
図１及び図２に示すように、切断領域の主桁２の上の床版１にφ１１０ｍｍ〜φ２００ｍｍのホールソーで主桁２に達する円形切断線２０を形成し、この円形切断線２０の内側領域を床版１から縁を切った状態とする。この円形切断線２０の直径は床版１の撤去に使用するジャッキ３の大きさに応じて選定するもので、円形切断線２０内の領域にジャッキ３が納まるようにし、床版１を持ち上げる際にジャッキ３が床版１に干渉しないようにするものである。
【０００９】
図１の断面図及び図２の平面図に示すように、撤去する床版１の領域を画定するため、主桁２に沿って１点鎖線で示す切断線Ｃ１、Ｃ２を形成する。これらの切断線は主桁２に達する深さであり、床版１と主桁２の結合度を弱めることになる。次に横桁（図示しない）の上に切断線Ｃ１、Ｃ２に直角に切断線Ｃ３、Ｃ４を形成する。切断線Ｃ３、Ｃ４も横桁に達する深さであり、Ｃ１、Ｃ２、Ｃ３及びＣ４の切断線で、床版１に撤去領域が画定される。
【００１０】
なお、切断線Ｃ３、Ｃ４は横桁の上部に形成せずに任意の位置に形成してもよく、その場合は、切断線の形成の際の冷却水が床版１の底面から落下しないように、床版１の底面に切断線に沿って厚さ５ｃｍの平板発泡スチロールを変成シリコーンで接着し、円形のカッターを高速回転させてコンクリート構造物を切断する。コンクリートカッター刃が床版１の底面から突出するが、発泡スチロールに切れ目が形成されるだけであり、冷却水が外部に流出することはない。
【００１１】
円形切断線２０、または、主桁２の対向する位置に設けた円形切断線２０、２０の中間部の床版１にφ５０ｍｍの穴２２を形成し、穴２２の深さを計測して床版１の厚さを計測し、コンクリートカッターの切断深さを調節してコンクリートカッターが桁２に衝突して損傷することがないようにして主桁２に沿って床版１をカッターで切断して切断線を形成する。
次に、形成した穴２２にネジ付き鋼棒４２を挿入し、床版１の底面にナットで固定する。
【００１２】
ついで、円形切断線２０の内側にジャッキ３をセットし、ジャッキ３の間に、軸方向にスリット４１が形成されている剥離架台４を架け渡して固定し、スリット４１に既に床版１に固定してあるネジ付き鋼棒４２を通して剥離架台４の上面にナットで固定する。
【００１３】
ジャッキ３を作動させ剥離架台４を上昇させ、この上昇力をネジ付き鋼棒４２を介して床版１の下面に伝達して床版１の切断線Ｃ１〜Ｃ４で画定された領域を主桁２及び横桁から引き剥がし、床版１と主桁２及び横桁との結合が解除されたことを確認し、ジャッキ３の作動を解除して剥離した床版１の領域を元に戻し、剥離架台４とジャッキを移動させ、剥離された床版領域をフォークリフトやクレーンで撤去する。
【００１４】
実施例２
実施例１と同様に切断領域の主桁２の上の床版１にφ１１０ｍｍ〜φ２００ｍｍのホールソーで主桁２に達する円形切断線２０を形成し、この円形切断線内部の円柱状のコアを撤去し、主桁２の上部の床版にジャッキ３を設置するための穴を形成したものであり、この穴内に設置したジャッキ３は、床版１とは縁を切った状態である。
この後の工程は、実施例１と同様であり、主桁２の上に主桁２に沿って切断線を形成し、更にこの切断線に直角に切断線を床版に形成して剥離領域を画定し、ジャッキ３を作動させて剥離領域の床版と桁の結合を解除するものである。
【産業上の利用可能性】
【００１５】
主桁の上のコンクリート床版に円形切断線を形成してジャッキを設置する領域を床版から縁切りし、剛性の大きな桁上に直接ジャッキを設置するようにしたので、十分大きな反力が得られ、能力の大きなジャッキの使用が可能となり、また、主桁上に切断線を形成して床版と桁の結合度を弱めてあるので、確実に、かつ、短時間で床版を桁から剥離することができ、補修工事の工期の短縮を図ることができる。また、床版の強度が大きくない歩道橋に対してもこの発明の方法は有効である。
【図面の簡単な説明】
【００１６】
【図１】本発明の撤去作業時の断面図。
【図２】本発明の撤去作業時の平面図。
【図３】本発明の他の実施例の断面図。
【図４】従来例の断面図。
【図５】他の従来例の断面図。
【符号の説明】
【００１７】
１    コンクリート床版
１１  撤去ブロック
２    主桁
２０  円形切断線
３    ジャッキ
４    剥離架台
４１  スリット
４２  ネジ付き鋼棒
Ｃ    切断線
【図１】
2010024742.tif 000003
【図２】
2010024742.tif 000004
【図３】
2010024742.tif 000005
【図４】
2010024742.tif 000006
【図５】
2010024742.tif 000007